(57)【要約】【課題】安価で美観に優れ、自由に光の色を調整できるバックライト装置を提供する。【解決手段】略凹形状した外装ケース２１と、前記外装ケース２１の内側底面に配置した導光板２２と、前記導光板２２の端面に配置した光源２７と、前記導光板２２の上面に配置した液晶パネル１５とを備え、前記導光板２２と前記光源２７との間に色付きフィルム２６を介在させることで、色付きフィルム２６を透過した光源２７からの色付きの光が導光板２２により均一に面発光し液晶パネル１５を照射させる構成としたしたもので、液晶パネル１５に照射される光の色を色付きフィルム２６で自由に調整することができる。【選択図】図４
2013094202.tif 000002
【特許請求の範囲】
【請求項１】
断面略凹形状外装ケースと、前記外装ケースの内側底面に配置した導光板と、前記導光板の側面部に配置した光源と、前記導光板の上面に配置した液晶パネルとを備え、前記導光板と前記光源との間に色付きフィルムを介在させたバックライト装置。
【請求項２】
色付きフィルムは、導光板の側面部に接着固定させる構成とした請求項１に記載のバックライト装置。
【発明の詳細な説明】
【技術分野】
【０００１】
本発明は、洗濯機等の操作表示装置に使用する液晶表示のバックライト装置に関するものである。
【背景技術】
【０００２】
近年、洗濯機等の操作表示装置には、視認性やデザイン性を高めるため液晶パネルを使用した液晶表示装置が一般的になっている（例えば、特許文献１参照）。
【０００３】
また、液晶パネルは、視認性をより高めるためにバックライト構成の液晶表示装置が多用される（例えば、特許文献２参照）。
【０００４】
図５は、特許文献１に記載された従来の洗濯機の操作表示部の制御装置ケースの平面図をしめし、図６は、特許文献２に記載された従来の液晶表示装置の断面図である。
【０００５】
図５に示すように、液晶表示装置２は制御基板４に載置され、電源入りスイッチ６の入力により数字や文字等の表示を行う。
【０００６】
図６の断面図に示すように、液晶表示装置２は、一対の透明基板１ａと１ｂに挟持された液晶層１ｃとで構成され製品での観察側に配置した液晶パネル４０と、偏光板４１、偏光分離フィルム４５、およびアクリル樹脂等で構成された厚さ約２ｍｍの導光板４２、前記導光板４２の端面から光を入光するＬＥＤ（発光ダイオード）等の光源４３、および前記光源４３を保持しつつ導光板４２に固着する光源保持体４４等で構成される。
【０００７】
導光板４２は、液晶パネル４０側とは反対の背面側に光拡散板４６を一体的に固着すると共に、背面４２ａにはシボドット加工を施して光の反射と光の減衰の抑制とを行うよう構成し、光源４３で発光された光が導光板４２を経由して液晶パネル４０を面発光させて、表示面４７からの表示を視認しやすくするという、いわゆるバックライト構成をなす。
【０００８】
前記、液晶パネル４０及び光源４３は電源供給を受けるため、図５で示した制御基板４に電気接続しており、電源入りスイッチ６をオンすると液晶パネル４０の文字や数字の液晶駆動信号が供給されると同時に光源４３が点灯し、その光が導光板４２を透過することで、液晶パネル４０全体を均一に面発光させて、視認性を高める。
【先行技術文献】
【特許文献】
【０００９】
【特許文献１】特開２００８−２５１号公報
【特許文献２】特開平１１−１８３９００号公報
【発明の概要】
【発明が解決しようとする課題】
【００１０】
しかしながら、このような従来の液晶表示のバックライト装置の構成では、光源からの光を直接、導光板に透過させて液晶パネルに照射させていたため、液晶パネルに照射される光の色がすべて光源の色により決まってしまい、使用者が選択する色の範囲が光源の色に限定されてしまうので、使用者が微妙に色の度合いを変えようとしても、光源の色でしか調整することがでず、色の自由度が少ないという課題があった。
【００１１】
本発明は、前記従来の課題を解決するもので、液晶パネルに照射する光の色の調整を光源のみに限定するのではなく、自由に光の色を調整できる液晶表示のバックライト装置を提供することを目的とする。
【課題を解決するための手段】
【００１２】
前記従来の課題を解決するために、本発明のバックライト装置は、断面略凹形状外装ケースと、前記外装ケースの内側底面に配置した導光板と、前記導光板の側面部に配置した光源と、前記導光板の上面に配置した液晶パネルとを備え、前記導光板と前記光源との間に色付きフィルムを介在させたことで、色付きフィルムを透過した光源からの色付きの光が導光板により均一に面発光し液晶パネルを照射させる構成としたとしたものである。
【００１３】
これによって、使用者が自由に液晶パネルに照射される光の色を色付きフィルムで調整することができ、しかも光源の色のみに限定されることもないことから非常に安価に光の色を変えることが可能となり、かつ美観の損なわない液晶表示バックライト装置を実現することができる。
【発明の効果】
【００１４】
本発明の液晶表示バックライト装置は、光の色を自由に調整が可能で安価でかつ美観に優れた構成を提供できる。
【図面の簡単な説明】
【００１５】
【図１】本発明の実施の形態における操作表示装置を搭載した洗濯機の正面図
【図２】同洗濯機の操作表示部の要部上面図
【図３】同洗濯機の操作表示部の図２のＡ−Ａ断面図
【図４】同洗濯機の操作表示部を形成する液晶表示バックライト装置の分解斜視図
【図５】従来のバックライト装置を備えた操作表示部の要部上面図
【図６】従来の液晶表示装置の断面図
【発明を実施するための形態】
【００１６】
第１の発明は、断面略凹形状外装ケースと、前記外装ケースの内側底面に配置した導光板と、前記導光板の側面部に配置した光源と、前記導光板の上面に配置した液晶パネルとを備え、前記導光板と前記光源との間に色付きフィルムを介在させたことにより、色付きフィルムを透過した光源からの色付きの光が導光板により均一に面発光し液晶パネルを照射させる構成とすることにより、光源からの光が色付きフィルムを透過したあとに導光板の側面から入光することで液晶パネルを色付きの光が照射されるので、使用者が自由に液晶パネルに照射される光の色を色付きフィルムで調整することができ、しかも光源の色のみに限定されることもないことから非常に安価に光の色を変えることが可能となり、かつ美観の損なわない液晶表示バックライト装置を実現することができる。
【００１７】
第２の発明は、特に、第１の発明の色付きフィルムは、導光板の側面部に接着固定させる構成としたことにより、更に美観に優れ、生産性に優れ、確実に光源からの光が色付きフィルムを透過させて導光板に入光することができる。
【００１８】
以下、本発明の実施の形態について、図面を参照しながら説明する。またこの実施の形態によって本発明が限定されるものではない。
【００１９】
（実施の形態１）
図１は、本発明の第１の実施の形態における洗濯機の操作表示部を搭載した洗濯機の正面図、図２は、同洗濯機の操作表示部の要部上面図、図３は、同洗濯機の操作表示部の図２のＡ−Ａ断面図、図４は、同洗濯機の操作表示部を形成する液晶表示バックライト装置の分解斜視図、
図１の洗濯機正面図において、洗濯機本体３５の正面中央部に開閉自在に蓋体３６を配し、内部の洗濯兼脱水槽３７に洗濯物を投入する。前記蓋体３６および洗濯兼脱水槽３７の上部には、操作表示を行うパネルカバー７を構成する。
【００２０】
パネルカバー７には、洗濯機本体３５に電源を投入する際に操作する電源入スイッチ８および電源を遮断する際に操作する電源切スイッチ９、洗濯等の動作をスタートあるいは一時停止する際に操作するスタートスイッチ１０等の操作ボタンを配置するとともに、各種表示を行う液晶パネル１５を有している。
【００２１】
図２の操作表示部の要部上面図において、洗濯機の操作表示面全体を構成するパネルカバー７は、プラスチック成形部材にて構成されている。
【００２２】
また、パネルカバー７には、前記スタートスイッチ１０以外に、洗濯のみを運転するのか、乾燥のみを運転するのか、洗濯と乾燥の両方を運転するのかを選択する洗濯・乾燥スイッチ１１、各運転コースを選択するコース選択スイッチ１２、更に洗濯・すすぎ・脱水・乾燥の各工程の詳細時間および運転するか否かを選択する個別時間設定スイッチ１３、その他各種の設定スイッチ１４等を構成する。
【００２３】
また、液晶パネル１５は、電源入スイッチ８をＯＮすることで文字を表示させることができ、洗濯・乾燥スイッチ１１やコース選択スイッチ１２や個別時間設定スイッチ１３やその他設定スイッチ１４をＯＮすることで、制御内容の変更と共に液晶パネル１５の表示内容を変更することができる。
【００２４】
図３の操作表示部断面図において、パネルカバー７の横長縦矩形状の透明窓１６に対応して、その表面には、図２で説明した液晶パネル１５の表示を透過視認できるように液晶パネル１５部を透明に構成したフィルムシート１７をインサート成型している。
【００２５】
フィルムシート１７は、液晶パネル１５の表示する部分のみが透明になっていて周囲は液晶パネル１５のバックライト装置１８の光漏れの防止のために不透明にしている。
【００２６】
また、液晶パネル１５の表示部１９以外の構造体が上部斜め方向からでも見えないように、ＡＢＳ樹脂等で成形した部材の額縁２０で外周周辺の余分な部分を隠す構成としている。
【００２７】
反射性の高い樹脂材料で断面略凹形状に成形された外装ケース２１は、その断面略凹形状の内側にはアクリル樹脂やポリカーボネート樹脂等で光学設計の施された導光板２２および液晶パネル１５を重ねて配置している。前記導光板２２上には光を拡散させるために導光板２２を全面で覆い隠すように、下部拡散シート２３および上部拡散シート２４を２枚配し、その上部拡散シート２４の上に液晶パネル１５を重ねて配置する構成である。
【００２８】
導光板２２の側面部２５には、例えば青色の色を付けた透明の色付きフィルム２６を両面テープで接着固定しており、かつ、発光するタイプの白色のＬＥＤ（発光ダイオード）で構成された光源２７を半田付けしている光源基板２８を導光板２２の側面部２５近傍に併設させる。
【００２９】
制御装置ケース３３にビス等（表示せず）で固定した制御装置２９には、各電子部品の他に液晶パネル１５や光源２７や、図１で説明した各操作スイッチに対応する位置にスイッチ部品３０（スイッチ）や、マイコン３１等が半田固定されており、防湿処理のために半田ディップの後にポリウレタン樹脂等で構成された防湿材からなる防湿ポッティング剤３４を充填させて、制御装置２９の表裏に防湿処理を施す。
【００３０】
パネルカバー７に上下動可能に一体形成された操作ボタン部３２は、押圧することより制御装置２９に装着したスイッチ部品３０に信号が入力される。
【００３１】
操作ボタン部３２の近傍には、図２にて示した電源入スイッチ８、電源切スイッチ９、スタートスイッチ１０、洗濯・乾燥スイッチ１１、コース選択スイッチ１２、個別時間設定スイッチ１３、その他設定スイッチ１４等の操作ボタン部の印刷表示を施す。
【００３２】
図４の分解斜視図において、液晶表示のバックライト装置構成を説明すると、観察側である表面側より液晶パネル１５、黒色両面テープ３４、上部拡散シート２４、下部拡散シート２３および導光板２２が重ねられて外装ケース２１内方に収納されるとともに、導光板２２の側面部２５に光源２７を取り付けた光源基板２８もまた外装ケース２１内方に併設収納する。
【００３３】
前記黒色両面テープ３４は、中央部が開放した略ロの字形に形成し、液晶パネル１５と外装ケース２１を貼り合わせる目的の他に、周囲を完全にこの黒色両面テープで液晶パネル１５外周縁を覆うことで内部への異物侵入を防止し、更に外装ケース周囲からの光の漏れを防止する役割を有する。
【００３４】
光源２７から、フィルム２６を介して入光した光は、導光板２２内部で屈折して下部拡散シート２３および上部拡散シート２４にて拡散し液晶パネル１５を面発光させる。この時、アクリル樹脂やポリカーボネート樹脂等で成形された導光板２２の裏面にはシボドット加工を施して、光源２７から遠ざかるにつれてドットの面積を大きくし、入光した光がシボドット部で反射を繰り返し減衰するのを防止し、均一に面発光させる。
【００３５】
以上のように構成されたバックライト装置について、以下その動作、作用、および効果を説明する。
【００３６】
図１〜図４において、電源入スイッチ８をＯＮすることで液晶パネル１５に文字を表示させると同時に、光源基板２８に電気接続した白色の光源２７に通電を行ない、光源２７から光った白色の光が青色の色付きフィルム２６を透過する際に、青色の光となり導光板２２によって青に均一に面発光をし、液晶パネル１５を裏面から青色に照射することとなり液晶パネル全体を青色に発光する。
【００３７】
これにより、使用者の色の好みで液晶パネル１５に照射された青色の光の色度合いを色付きフィルム２６の色合いによって濃くしたり薄くしたり調整することが容易にでき、しかも光源の色のみに限定されることもないことから、非常に安価に光の色を変えることが可能となり、かつ美観の損なわない液晶表示バックライト装置を実現することができる。
【００３８】
また、色付きフィルム２６を導光板２２の側面部２５に両面テープで貼り付ける構成にしたことにより、更に美観に優れ、生産性に優れ、確実に光源２７からの光が色付きフィルム２６を透過させて導光板２２に入光することができる。
【００３９】
また、液晶パネル１５と導光板２２との間に下部拡散シート２３および上部拡散シート２４を介在したことにより、導光板２２に入光された光がより均一に液晶パネル１５を面発光することになり、更に美観を高め、かつ拡散された輝度の高い光を液晶パネル１５に照射することができる。
【００４０】
また、本実施の形態では、下部拡散シート２３および上部拡散シート２４の２枚介在することで液晶パネル１５に照射される輝度を高め、更に導光板２２の裏面のシボドットが液晶パネル１５表面から見えにくくするとしたが、拡散シート２３の材質や厚みや透過率を変えることで同課題を解決すれば１枚で構成してもよい。
【００４１】
また、本実施の形態では、光源２７の色を白色、色付きフィルム２６の色を青色としたが色の組み合わせを変えることで様々な色を液晶パネル１５に照射してもよい。
【００４２】
上記実施の形態では、洗濯機について記載したが、液晶パネルを使用する電気機器であれば、同等の構成とすることにより、同等の効果を得ることができることは言うまでもない。
【産業上の利用可能性】
【００４３】
以上のように、本発明のバックライト装置は、安価で美観に優れ、液晶パネルに照射される光の色を色付きフィルムにより自由に調整することができるため、液晶パネルを照射するほかにバックライト装置を有する照明装置等にも適用できる。
【符号の説明】
【００４４】
１５  液晶パネル
１８  バックライト装置
２１  外装ケース
２２  導光板
２３  下部拡散シート
２４  上部拡散シート
２５  側面部
２６  色付きフィルム
２７  光源
２８  光源基板
【図１】
2013094202.tif 000003
【図２】
2013094202.tif 000004
【図３】
2013094202.tif 000005
【図４】
2013094202.tif 000006
【図５】
2013094202.tif 000007
【図６】
2013094202.tif 000008